(57)【要約】      （修正有）【課題】片手で鍋の蓋を持ちながら、鍋の中で、片手で味噌溶きが衛生的に素早く簡単にできる味噌溶き器を提供する。【解決手段】味噌溶き器は、半球状の網状スプーン３の端縁に軸を取り付け、網状スプーンの内部には網状スプーンの内側面に沿って湾曲した帯状の撹拌部２が設けられ、この撹拌部には複数の突起が網状スプーンの内側に向かって設けられ、更に、撹拌部は一端が網状スプーンの周縁部の軸受１に回転自在に取り付けられると共に、他端が回転軸４の一端に取り付けられ、この回転軸は、前記軸に沿って配置されると共にその他端にはギヤー７が設けられ、前記軸には、固定側の握り手が設けられ、握り手の根元付近に支軸５及びバネ８で可動する可動側の握り手６が設けられ、固定側の端部及び可動側の端部には回転軸のギヤー７に係合するラック状のギヤー９が設けられている。【選択図】図１
0003192399.tif 000002
【実用新案登録請求の範囲】
【請求項１】
半球状の網状スプーンの端縁に軸を取り付け、
網状スプーンの内部には前記網状スプーンの内側面に沿って湾曲した帯状の撹拌部が設けられ、
この撹拌部には複数の突起が前記網状スプーンの内側に向かって設けられ、
更に、撹拌部は、把持部の把持動作により回転する回転軸の先端に連結されていることを特徴とする味噌溶き器。
【請求項２】
半球状の網状スプーンの端縁に軸を取り付け、
網状スプーンの内部には前記網状スプーンの内側面に沿って湾曲した帯状の撹拌部が設けられ、
この撹拌部には複数の突起が前記網状スプーンの内側に向かって設けられ、
更に、撹拌部は一端が網状スプーンの周縁部の軸受に回転自在に取り付けられると共に、他端が回転軸の一端に取り付けられ、
この回転軸は、前記軸に沿って配置されると共にその他端にはギヤーが設けられ、
前記軸には、固定側の握り手が設けられ、握り手の根元付近に支軸及びバネで可動する可動側の握り手が設けられ、固定側の端部及び可動側の端部には前記回転軸のギヤーに係合するラック状のギヤーが設けられていることを特徴とする味噌溶き器。
【請求項３】
半球状の網状スプーンの端縁に軸を取り付け、
網状スプーンの内部には前記網状スプーンの内側面に沿って湾曲した帯状の撹拌部が設けられ、
この撹拌部には複数の突起が前記網状スプーンの内側に向かって設けられ、
更に、撹拌部は、把持部に内蔵したモーターの動作により回転する回転軸の先端に連結されていることを特徴とする味噌溶き器。
【考案の詳細な説明】
【技術分野】
【０００１】
本考案は、味噌溶きをバネや樹脂の反発力、弾性又は電動で効率よく誰でも片手で簡単に衛生的に素早く味噌溶きができる味噌溶き器に関する。
【背景技術】
【０００２】
我が国では、従来より、必ず味噌汁を食する習慣が有る、其の時素早く味噌容器より味噌を取り出し鍋の中で箸と味噌漉し笊などで両手で味噌を溶く、煩わしい手間を要する為に幾つかの機器も考案されている（特許文献１〜４参照）。
【先行技術文献】
【特許文献】
【０００３】
【特許文献１】特開平２００８−１９４４３６号公報
【特許文献２】特開平２００７−１４４０６号公報
【特許文献３】特開平２００６−２６３０５号公報
【特許文献４】特開平２００５−２２４５７８号公報
【考案の概要】
【考案が解決しようとする課題】
【０００４】
上記文献を見ても従来の方法と差ほど変わるところが無く、其れを使用する事によりより複雑になり手間がかかる。製品化するにはコストアップにつながるような問題点が多いものであった。
【課題を解決するための手段】
【０００５】
本考案の味噌溶き器は、半球状の網状スプーンの端縁に軸を取り付け、網状スプーンの内部には前記網状スプーンの内側面に沿って湾曲した帯状の撹拌部が設けられ、この撹拌部には複数の突起が前記網状スプーンの内側に向かって設けられ、更に、撹拌部は、把持部の把持動作により回転する回転軸の先端に連結されていることを特徴とする。
【０００６】
本考案の味噌溶き器は、半球状の網状スプーンの端縁に軸を取り付け、網状スプーンの内部には前記網状スプーンの内側面に沿って湾曲した帯状の撹拌部が設けられ、この撹拌部には複数の突起が前記網状スプーンの内側に向かって設けられ、更に、撹拌部は一端が網状スプーンの周縁部の軸受に回転自在に取り付けられると共に、他端が回転軸の一端に取り付けられ、この回転軸は、前記軸に沿って配置されると共にその他端にはギヤーが設けられ、前記軸には、固定側の握り手が設けられ、握り手の根元付近に支軸及びバネで可動する可動側の握り手が設けられ、固定側の端部及び可動側の端部には前記回転軸のギヤーに係合するラック状のギヤーが設けられていることを特徴とする。
【０００７】
本考案の味噌溶き器は、半球状の網状スプーンの端縁に軸を取り付け、網状スプーンの内部には前記網状スプーンの内側面に沿って湾曲した帯状の撹拌部が設けられ、この撹拌部には複数の突起が前記網状スプーンの内側に向かって設けられ、更に、撹拌部は、把持部に内蔵したモーターの動作により回転する回転軸の先端に連結されていることを特徴とする。
【図面の簡単な説明】
【０００８】
【図１】この考案の第１、Ａの実施形態を示す斜視図である。
【図２】この考案の第２、Ｂの実施形態を示す斜視図である。
【図３】この考案の第３、Ｃの実施形態を示す斜視図である。
【図４】この考案の第４、Ｄの実施形態を示す斜視図である。
【考案を実施するための形態】
【０００９】
第一の考案は、網状スプーンで味噌容器よりすくい入れた味噌をバネ、又は樹脂の反発力で、ギヤーを、回転させ、ギヤー受け部を回転する、ギヤーに接続された回転軸を回転させる事に依り網状スプーン内にある味噌攪拌部を、左右に移動する事により味噌を溶き攪拌する事ができる、片手で簡単に味噌溶ができる味噌溶器とする。第二の考案は、第一の考案の動力がバネの弾性により片手で味噌溶の出来る機構であったが、其のバネによる力を樹脂が持つ弾性に置き換えるものである、此の方法では機構を簡素化し、部品を省き低コスト化できる、以上により誰でも片手で衛生的に素早く味噌溶きができる、味噌溶器である。本考案による味噌溶き器を使用することにより、誰でも片手で衛生的に、鍋の中で簡単に素早く味噌溶きができる。
【００１０】
本考案の第１、Ａの実施形態を図１に示す。味噌溶き器本体Ａは樹脂、金属を問わない、握り手６を持ち網状スプーン３内に味噌容器より味噌をすくい入れ、それを鍋の中で支軸５に支えられバネ８を握り手６に力を込め握りしめることによりギヤー９の受け部の力をギヤー７に伝え、ギヤー７が回転する、其の回転を回転軸４を介し、軸受け１に支えられる攪拌部２を網状スプーン３内の攪拌部２を左右に移動運動をさせることにより中の味噌をより早く衛生的に片手で溶くことができる。
【００１１】
次に、図２、Ｂ 図３、Ｃ 図４、Ｄに示す本考案の異なる実施形態につき説明する。なお以上の、本考案の異なる実施形態の説明に当て、前記本考案の、図１、Ａの実施形態と同一構成部分には同一符号を付し重複する説明を省略する。
【００１２】
図２、Ｂ，による実施形態は、バネ８を使用せず握り手６に弾性の強い樹脂１１を使用する事により樹脂１１の反発力で、バネ８を使わず構造を簡素化し、コスト省くものである。使用上の機能、効果は図１、Ａによるものと同一である。
【００１３】
図３、Ｃによる実施形態は、デザインを一新して相対的に構造を簡素にし、握り手６を棒状にまとめ握りやすくし、バネ格納部１８内に納めるバネ８をバネ押し体１９を拇指で押すだけで攪拌部２を作動し味噌溶きが簡単にできる。
【００１４】
図４、Ｄによる実施形態は、握り手６部内にモーター１６と、電池蓋１４より出し入れする電池１７を内装し、モーター１６の動力でモーター回転軸１５を介し攪伴部２を作動する電動機構により味噌溶き機能を実現できる。
【００１５】
図１、Ａ、 図２、Ｂ、 図３、Ｃ、 図４、Ｄ、による実施形態により、全て片手で誰でも簡単に、衛生的に素早く味噌溶きができる機能、効果を発揮する。
【符号の説明】
【００１６】
Ａ、 Ｂ、 Ｃ、 Ｄ、 味噌溶き器
１、軸受け ２、攪拌部
３、網状スプーン ４、回転軸
５、支軸 ６、握り手
７、ギヤー ８、バネ
９、ギヤー受け部 １０、軸受け部
１１、樹脂弾性体 
１３、スイッチ １４、電池出し入れ蓋
１５、モーター回転軸 １６、モーター
１７、電池 １８、バネ格納部
１９、バネ押し体 
【図１】
0003192399.tif 000003
【図２】
0003192399.tif 000004
【図３】
0003192399.tif 000005
【図４】
0003192399.tif 000006